(57)【特許請求の範囲】
【請求項１】
スキャナ（１）に使用する書類運搬装置（２）であって、
コンベヤベルトの外側面（５）および平面（６）の間に書類（４）を運ぶようにコンベヤベルト（３）が配置され、かつ該コンベヤベルト（３）は、第１および第２ローラー（１０，１１）によって支持される内側面（９）を有し、
前記ローラーを歪める傾向がある前記コンベヤベルト（３）からの力に少なくとも部分的に対抗するために、各前記第１および第２ローラー（１０，１１）はその長さに沿って３箇所以上の位置にて支持され、
前記第１および第２ローラー（１０，１１）は、該第１および第２ローラーに対して回転するように配置された１つ以上の支持ローラー（８，１８，１９，２０，２１）によって支持されることを特徴とする書類運搬装置。
【請求項２】
前記少なくとも１つの支持ローラー（８）が、間に前記コンベヤベルト（３）がある前記第１および第２ローラー（１０，１１）に対して回転するように前記コンベヤベルト（３）の前記外側面（５）に接触して配置されることを特徴とする請求項１に記載の書類運搬装置。
【請求項３】
前記少なくとも１つの支持ローラーが、前記第１および第２ローラー（１０，１１）より大きい直径を有し、かつ前記第１および前記第２ローラー（１０，１１）の長さに実質的に一致する長さを有する１つの支持ローラー（８）の形を有することを特徴とする請求項２に記載の書類運搬装置。
【請求項４】
前記支持ローラー（８）の直径が前記第１または第２ローラー（１０，１１）の直径より少なくとも３／２倍大きい、および好ましくは少なくとも２倍大きいことを特徴とする請求項３に記載の書類運搬装置。
【請求項５】
前記少なくとも１つの支持ローラー（８，１８，２１）が前記コンベヤベルト（３）に対する方向に付勢され、それにより前記第１および第２ローラー（１０，１１）に対して付勢されることを特徴とする請求項１〜４のいずれか一項に記載の書類運搬装置。
【請求項６】
前記少なくとも１つの支持ローラーが前記第１および第２ローラー（１０，１１）の長さに沿って独立して配置かつ支持されるいくつかの支持ローラー（１８，１９，２０，２１）の形を有し、
前記いくつかの支持ローラーは前記第１および第２ローラーより小さい直径を有し、かつ前記コンベヤベルト（３）によって形成されたループの内側に配置されることを特徴とする請求項１に記載の書類運搬装置。
【請求項７】
前記第１および第２ローラー（１０，１１）の長さに沿ったいくつかの位置にて、４つの支持ローラー（１８，１９，２０，２１）を支える支持構造（２２）が配置され、前記４つの支持ローラーのうち２つは、前記第１ローラー（１０）に対して回転し、かつ前記４つの支持ローラーのうち２つは、前記第２ローラー（１１）に対して回転し、
前記支持ローラーは、前記第１および第２ローラーの軸を結ぶラインにそれぞれ対称的に配置されることを特徴とする請求項６に記載の書類運搬装置。
【請求項８】
スキャナ（１）に使用する書類運搬装置（２）であって、
コンベヤベルトの外側面（５）および平面（６）の間に書類（４）を運ぶようにコンベヤベルト（３）が配置され、かつ該コンベヤベルト（３）は、第１および第２ローラー（１０，１１）によって支持される内側面（９）を有し、
前記ローラーを歪める傾向がある前記コンベヤベルト（３）からの力に少なくとも部分的に対抗するために、各前記第１および第２ローラー（１０，１１）はその長さに沿って３箇所以上の位置にて支持され、
各前記第１および第２ローラー（１０，１１）は、共通シャフト（２６，２７）で支持されるいくつかのローラーセグメント（１０ａ，１０ｂ，１０ｃ，１１ａ，１１ｂ，１１ｃ）に分割され、
支持構造（２９）によって前記共通シャフトはそれらの端部にて支持され、
１つ以上の支持構造（２８）によって前記共通シャフトが隣接するローラーセグメントの間に支持されることを特徴とする書類運搬装置。
【請求項９】
前記コンベヤベルト（３）は、それを通して前記書類が読み取られるガラス板（７）に対して前記書類（４）を押すために配置されることを特徴とする請求項１〜８のいずれか一項に記載の書類運搬装置。
【請求項１０】
前記コンベヤベルト（３）には前記コンベヤベルトの長手方向に間隔を空けていくつかの穴が設けられ、
赤外線センサのようなセンサが前記コンベヤベルトの前記内側面（９）に配置され、かつ前記コンベヤベルトの前記穴を通じて前記コンベヤベルトによって運ばれる書類の端を検出するよう適合されていることを特徴とする請求項１〜９のいずれか一項に記載の書類運搬装置。
【請求項１１】
前記コンベヤベルト（３）が並列かつ離間して設けられた第１および第２コンベヤベルトを備え、その結果前記第１および前記第２コンベヤベルトの間に間隙が設けられ、
赤外線センサのようなセンサが前記第１および第２コンベヤベルトの前記内側面（９）に配置され、かつ前記第１および第２コンベヤベルトの間の前記間隙を通じて前記コンベヤベルトによって運ばれる書類の端を検出するよう適合されていることを特徴とする請求項１〜１０のいずれか一項に記載の書類運搬装置。
【請求項１２】
請求項１〜１１のいずれか一項に記載の書類運搬装置（２，２４，２５）を備えるスキャナ（１）であって、
前記運搬装置がスキャン中にスキャンされる前記書類（４）を進めるように適合され、
前記第１または第２ローラー（１０，１１）の接線接触点（１３）からわずかに離れてずらされたスキャン領域（１２）にて前記書類をスキャンするために画像スキャン装置（１４，１５，１６）が好ましく配置され、接線接触点において、前記ローラーが前記コンベヤベルト（３）および前記書類（４）が間にある前記平面（６）に接触することを特徴とするスキャナ。
【請求項１３】
いくつかの第１画像スキャン装置（１４）が前記第１ローラー（１０）に配置され、
いくつかの第２画像スキャン装置（１５）が前記第２ローラー（１１）に配置され、
各画像スキャン装置（１４，１５）がＣＩＳ（密着画像センサ）の形を有し、かつ
前記第１画像スキャン装置および前記第２画像スキャン装置が互いに対して互い違いに配置されていることを特徴とする請求項１２に記載のスキャナ。
【請求項１４】
いくつかの画像スキャン装置（１６）が前記第１ローラー（１０）に配置され、
前記コンベヤベルトの前記外側面（５）および第３ローラー（１７）の間に前記書類（４）を運ぶために、前記第２ローラー（１１）に前記コンベヤベルト（３）が配置され、
各画像スキャン装置（１６）がレンズによって焦点を合わせるＣＣＤセンサのようなカメラの形を有し、かつ、
前記画像スキャン装置がわずかに重複するフォーカス領域を有して並んで配置されることを特徴とする請求項１２に記載のスキャナ。
【発明の詳細な説明】
【技術分野】
【０００１】
本発明は、スキャナなどに使用する書類運搬装置に関連し、コンベヤベルトは、コンベヤベルトの外側面および平面の間に書類を運搬するように配置され、かつコンベヤベルトは、第１および第２ローラーによって支持される内側面を有する。
【背景技術】
【０００２】
特許文献１は、フラットベッドスキャナのような画像形成装置に使用するガラス板上の書類を運ぶ書類自動送り装置を開示し、ガラス板を通じて書類は画像形成装置によって読み込まれることができる。回転コンベヤベルトは、ガラス板に対して書類を押し、それにより書類を板に沿って運ぶ。いくつかの加圧ローラーは、コンベヤベルトを押し、それにより書類はガラス板に対して押される。コンベヤベルトのテンションを一定に保つために、テンションローラーは、コンベヤベルトの外側面を押している。書類がガラス板上に固定配置されると、ガラス板の下に移動可能に取り付けられたスキャン装置よって書類の画像が形成される。しかし、この従来技術の書類送り装置は非常に長いため、スキャン中に書類が固定のスキャンヘッドを横切って移動するコンパクトなスキャナに適さない。さらにこの書類送り装置は、スキャン中に書類が固定スキャンヘッドを横切って移動するスキャナに必要とされる正確な書類送りができない。特許文献２は、コンベヤベルトによって書類がフラットベッドスキャナへ進められる別のタイプの書類送り装置を開示する。
【０００３】
特許文献３は、書類がスキャン窓を横切って徐々に移動するとスキャン窓を通して書類がスキャンされるシート供給画像スキャン装置を開示する。書類がスキャン窓を横切って運搬されると、スキャン窓の両側のドラムに対して書類を押す２つのローラーによってドラムの外周に対して書類が保持される。ドラムの他側では、書類は２つのローラー上を動くコンベヤベルトによってドラムの外周に対して保持されることができる。
【０００４】
特許文献４は、ジグザグ形に整列され、かつ主スキャン方向に延在する複数の画像センサを備える画像読み取り装置を開示する。装置は、原稿のスキャン中に副スキャン方向に原稿を運ぶよう適合された原稿運搬装置を備える。原稿運搬装置は、画像センサと逆にジグザグ形に配置された原稿運搬ローラーを備え、原稿運搬ローラーは、画像センサの間の領域に配置される。それによりコンパクトな画像読み取り装置が得られる。しかし、原稿運搬ローラーのジグザグ配置により、狭くおよび／または薄い原稿は、ローラーによって適切に把持されない場合があり、それによって原稿がしわになる。さらに書類によって、厚い原稿がローラーの間を通ることができるように、ローラーの配置が複雑になることが予想される。
【０００５】
さらに、スキャン中に書類が固定スキャンヘッドを横切って移動するスキャナが既知であり、それによって書類を運ぶために互いに対して動くローラーの第１および第２ペアがそれぞれスキャンヘッドの前後に配置される。スキャンヘッドは、ガラス板を通じて書類を読み取り、バネ付勢板またはローラーによって書類はガラス板に押される。しかし、運搬ローラーがスキャンヘッドの前後に配置されるので、このスキャナは、運搬方向に一定の最小寸法を有する。さらに薄いまたは厚い書類を運ぶためには、スキャナはそれぞれ特別に構成されなければならず、これにより書類は運搬方向の３つの異なる位置で接触される。
【先行技術文献】
【特許文献】
【０００６】
【特許文献１】米国特許第６，１１３，０９１号明細書
【特許文献２】米国特許第６，０９１，９２７号明細書
【特許文献３】米国特許出願公開第２００４／００８００９２号明細書
【特許文献４】欧州特許出願公開第１，６７２，９０５号明細書
【発明の概要】
【発明が解決しようとする課題】
【０００７】
本発明の目的は、異なる特性を有する書類の正確な運搬のためのコンパクトな装置を提供することである。
【課題を解決するための手段】
【０００８】
この目的のために、前記ローラーを歪める傾向にあるコンベヤベルトからの力に少なくとも部分的に対抗するように、各第１および第２ローラーはその長さに沿った３箇所以上の位置にて支持される。
【０００９】
それにより、コンパクトな書類運搬装置は、互いに隣に配置された比較的薄い第１および第２ローラー、およびそれらの長さに沿った３箇所以上の位置におけるローラーの支持により提供され、ローラーのゆがみは最小化され、かつ結果として装置はスキャン中に書類を正確に運ぶことができる。コンベヤベルトおよび書類の間の連続的な接触により、比較的薄いおよび比較的厚い書類の両方を問題なく扱うことができる。
【００１０】
実施形態において、第１または第２ローラーの長さは、前記ローラー直径より少なくとも１５倍、および好ましくは少なくとも２０倍大きい。それにより非常にコンパクトな運搬装置を提供することができる。
【００１１】
実施形態において、第１および第２ローラーは、第１および第２ローラーに対して回転するよう配置された少なくとも１つの支持ローラーによって支持される。それにより、第１および第２ローラーには、コンベヤベルトに対する長さに沿った連続的な支持面が形成されることができる。それによりコンベヤベルトは、より均等に支持され、したがって横方向から見て書類をより均等に進めることができる。
【００１２】
実施形態において、少なくとも１つの支持ローラーがコンベヤベルトの外側面に接触するように配置され、その間にコンベヤベルトがある第１および第２ローラーに対して回転する。それにより、少なくとも１つの支持ローラーにより広い空間を利用でき、ローラー構造のより柔軟な設計が可能となる。
【００１３】
実施形態において、少なくとも１つの支持ローラーは、第１および第２ローラーより大きい直径を有し、かつ第１および第２ローラーに実質的に一致する長さを有する１つの支持ローラー形状を有する。それにより、第１および第２ローラーは、それらの長さに沿って連続的に第１および第２ローラーより高い剛性を有する支持ローラーによって支持されることができる。より大きい直径の単独の支持ローラーの配置は、いくつかのより小さい支持ローラーの装置に比べ比較的単純である。
【００１４】
構造的に好都合な実施形態において、支持ローラーの直径は、第１または第２ローラーの直径より少なくとも３／２倍、および好ましくは少なくとも２倍大きい。
【００１５】
実施形態において、少なくとも１つの支持ローラーは、コンベヤベルトに対する方向に付勢され、それにより第１および第２ローラーに対して付勢される。それによりコンベヤベルトが平面に対して書類を押す圧力は、少なくとも１つの支持ローラーの付勢によって調整されることができる。
【００１６】
実施形態において、少なくとも１つの支持ローラーは第１および第２ローラーの長さに沿って独立して配置かつ支持されるいくつかの支持ローラーの形をとり、いくつかの支持ローラーは、第１および第２ローラーより小さい直径を有し、かつコンベヤベルトによって形成されたループの内側に配置される。それにより非常にコンパクトな運搬装置を得ることができる。
【００１７】
構造的に特に好都合な実施形態において、第１および第２ローラーの長さに沿ったいくつかの位置にて４つの支持ローラーを支える支持構造が配置され、このうち２つは第１ローラーに対して回転し、このうち２つは第２ローラーに対して回転し、および支持ローラーはそれぞれ第１および第２ローラーの軸を接続するラインに対して対称的に配置される。
【００１８】
実施形態において、各第１および第２ローラーは共通シャフト上に支持されるいくつかのローラーセグメントに分割され、かつ支持構造によって、共通シャフトは隣接するローラーセグメント間に支持される。それにより第１および第２ローラーの単純な支持が可能となり、摩擦を最小化することができる。
【００１９】
実施形態において、コンベヤベルトは、それを通じて書類が読み取られるガラス板に対して書類を押すように配置される。
【００２０】
実施形態において、コンベヤベルトの外側面は、ガラスに対する摩擦よりも大きい紙に対する摩擦を有する。それによりガラス板が影響を受けることなく紙の書類は、コンベヤベルトによって確実に進められる。
【００２１】
実施形態において、コンベヤベルトにはコンベヤベルトの長手方向に間隔の空いたいくつかの穴が設けられ、赤外線センサのようなセンサがコンベヤベルトの内表面に配置され、かつコンベヤベルトの穴を通じてコンベヤベルトによって運搬される書類の端を検出するよう適合される。それにより書類の色および材料に関わらず運搬装置における書類の位置を調査することができる。
【００２２】
実施形態において、第１および第２コンベヤベルトの間に間隙が設けられるように、コンベヤベルトは並列かつ離間して設けられた第１および第２コンベヤベルトを備え、赤外線センサのようなセンサが第１および第２コンベヤベルトの内表面に配置され、第１および第２コンベヤベルトの間の間隙を通じてコンベヤベルトによって運搬される書類の端を検出するよう適合されている。それにより、書類の色および材料に関わらず運搬装置における書類の位置を調査することができる。
【００２３】
本発明はさらに、上述した書類運搬装置を備えるスキャナに関連する。スキャナは、スキャン中に運搬装置がスキャンされる書類を進めるよう適合されることを特徴とする。
【００２４】
実施形態において、画像スキャン装置は、第１または第２ローラーの接線接触点からわずかに離れてずらされたスキャン領域で書類をスキャンするように配置され、接線接触点において、前記ローラーはその間にコンベヤベルトおよび書類がある平面に接触する。それにより、接触圧力の大きいところでちりおよび他の粒子がガラス表面にすれることにより、前記接触点において発生することがあるガラスの磨耗の影響をスキャンが受けることを避けることができる。
【００２５】
実施形態において、いくつかの第１画像スキャン装置が第１ローラーに配置され、いくつかの第２画像スキャン装置が第２ローラーに配置され、各画像スキャン装置は、ＣＩＳ（密着画像センサ）の形をとり、第１画像スキャン装置および第２画像スキャン装置は、互い違いに配置される。
【００２６】
実施形態において、いくつかの画像スキャン装置は、第１ローラー、第２ローラーに配置され、コンベヤベルトはコンベヤベルトの外側面および第３ローラーの間に書類を運ぶよう配置され、各画像スキャン装置は、レンズによって焦点を合わせるＣＣＤセンサのようなカメラの形をとり、かつ画像スキャン装置は、わずかに重複するフォーカス領域を有して並んで配置される。
【００２７】
本発明は、非常に概略的な図面を参照しながら実施形態の例により、より詳しく下記に説明される。
【図面の簡単な説明】
【００２８】
【図１】本発明による書類運搬装置を組み込んだスキャナの実施形態の端面図である。
【図２】本発明による書類運搬装置を組み込んだスキャナの他の実施形態の端面図である。
【図３】本発明による書類運搬装置を組み込んだスキャナの他の実施形態の端面図である。
【図４】本発明による書類運搬装置を組み込んだスキャナの他の実施形態の端面図である。
【図５】図４の書類運搬装置の下部分の上面図である。
【発明を実施するための形態】
【００２９】
図１は本発明による書類運搬装置２を組み込んだスキャナ１の第１実施形態の端面図を示す。書類運搬装置２は、コンベヤベルトの外側面５およびガラス板７の平面６の間で書類４を運ぶよう配置されたコンベヤベルト３を備え、スキャナ１のＣＩＳ（密着画像センサ）の形の画像スキャン装置１４，１５はガラス板７を通じて書類を読み取ることができる。スキャナは、運搬装置２がスキャン中に書類４を進めるよう適合されたタイプである。
【００３０】
書類４の運搬および書類のガラス板７に対する押し付けの両方に同じコンベヤベルト３を利用することによるいくつかの好都合点がある。第一に、非常にコンパクトなスキャナを提供することができる。第二に、ガラス板に対して書類に加えられる圧力が増加する場合、コンベヤベルト３および書類４の間の摩擦もまた増加し、結果として可能な運搬力が増加する。これは、ガラス板に対して書類を押すために書類に対して個別の板またはローラーが付勢され、かつ運搬ローラーがガラス板の前後に設けられている従来技術の解決策に反している。第三に、コンベヤベルト３が書類４に書類の幅全体で連続的に接触するために、運搬中の書類の座屈を防ぐことができる。最後に、書類の厚さによらず書類４がコンベヤベルト３によってガラス板７に押されるため、薄い書類および厚い書類も等しく良好にスキャナを通して運搬することができる。
【００３１】
コンベヤベルト３は、第１ローラー１０および第２ローラー１１によって支持される内側面９を有する。第１画像スキャン装置１４の列は、第２ローラー１１の方向に第１ローラー１０の接線接触点１３からわずかに離れてずらされたスキャン領域１２にて書類４をスキャンするように配置され、接線接触点にて第１ローラーは、その間にコンベヤベルト３および書類４がある平面６に接触する。同様に第２画像スキャン装置１５の列は、第１ローラー１０の方向に第２ローラー１１の接線接触点１３からわずかに離れてずらされたスキャン領域１２にて書類４をスキャンするよう配置される。画像スキャン装置がわずかに重なり、書類４の幅全体をカバーするように、第１画像スキャン装置１４の列は、既知の方法にて第２画像スキャン装置１５の列に対して互い違いに配置される。
【００３２】
コンパクトな書類運搬装置２を得るために、第１および第２ローラー１０，１１は比較的細い。Ｌがローラーの長さ、Ｄがローラーの直径とすると、通常、Ｌ／Ｄは約２２〜約４５の間である。大型のスキャナでは、ローラー直径は例えば約２０ｍｍ〜約３０ｍｍとすることができる。第１および第２ローラー１０，１１の中心間の距離は、例えば約５０ｍｍ〜約１００ｍｍとすることができる。第１および第２ローラー１０，１１は例えば鋼鉄またはアルミニウムまたは任意の他の適する材料から作ることができる。コンベヤベルト３は、布のような材料、またはプラスチック、ゴムまたはシリコーンのような合成材料から作られる。布は、ベロアのようなブラシ状の表面を有することができる。例えば、コンベヤベルトはケブラー（登録商標）またはガラス繊維によって強化されたウレタンから作られる。材料は、ガラスに対して比較的小さい摩擦、かつ紙に対して比較的大きい摩擦を有し、ガラス板は影響を受けずにスキャナ内の紙の書類は運搬される。好ましくは、コンベヤベルトは書類およびコンベヤベルトが接触面に沿った連続的な圧力を確実にするために硬い構造を備える。
【００３３】
比較的細い第１および第２ローラー１０，１１を歪めるようとするコンベヤベルト３の力に少なくとも部分的に対抗するために、第１および第２ローラー１０，１１より大きい直径を有し、かつ第１および第２ローラーに実質的に一致する長さを有する１つの支持ローラー８がコンベヤベルト３の外側面５に接触して配置され、支持ローラー８は、間にコンベヤベルト３がある第１および第２ローラーに対して回転する。図１に明らかなように、支持ローラー８は、第１および第２ローラー１０，１１の直径と比べてより大きい直径を有することができ、それにより支持ローラー８は、第１および第２ローラー１０，１１より実質的に高い剛性を有することができる。結果として支持ローラー８によって、第１および第２ローラー１０，１１の全長に沿った非常に良好な支持を提供することができる。このように、各第１および第２ローラー１０，１１は、その長さに沿っていくつかの位置で支持される。支持ローラー８の直径は、第１および第２ローラー１０，１１の直径よりも少なくとも３／２倍、好ましくは少なくとも２倍、および可能であれば約３倍大きくすることができる。
【００３４】
コンベヤベルト３のテンションが第１および第２ローラー１０，１１のゆがみ、つまり曲げをもたらす場合、コンベヤベルトの横方向における書類４の運搬が不ぞろいになり、結果として画像スキャン装置１４，１５により書類は不規則にスキャンされる。したがって第１および第２ローラー１０，１１のゆがみを実質的に減少させるまたは最小にすることは重要である。第１および第２ローラー１０，１１の端部は、ガラス板７の方向に付勢される図示しない軸受けで受けられ、それにより書類を適切に運ぶために書類４に対するコンベヤベルト３の適当な圧力の少なくとも一部を提供する。付勢するための手段は、運搬される書類のタイプ、例えば厚い書類または薄い書類、または例えば滑らかな面を有する書類に適応することができる。書類４に対するコンベヤベルト３の適当な圧力は、代替的または補足的に第１および第２ローラー１０，１１に対する支持ローラー８の圧力によって提供される。例えば、第１および第２ローラー１０，１１の端部は、ある範囲内に自由に移動可能な軸受けによって受けられ、書類４に対するコンベヤベルト３の必要な圧力は完全に、または実質的に支持ローラー８によって提供されることができる。もちろん補足的な支持ローラーを図１に示される実施形態に設けることができ、例えば、いくつかの小さい支持ローラーをコンベヤベルト３内に設けることができる、またはコンベヤベルトの外側に対して回転させることができる。
【００３５】
第１および第２ローラー１０，１１の間の距離は、好ましく調整することができ、それによりコンベヤベルトの長さの製造公差に適応することができる。コンベヤベルトのテンションもまたローラー間の距離を変えることによって少なくとも部分的に調節することができる。もちろん支持ローラー８の第１および第２ローラー１０，１１に対する圧力はまたコンベヤベルトのテンションに影響を与える。
【００３６】
図２は、本発明による書類運搬装置２を組み込んだスキャナ１の第２実施形態を示す。この実施形態において、スキャン領域１２にて書類４をスキャンするために１列の画像スキャン装置１６が配置され、図１の実施形態に示すように、スキャン領域は第１ローラー１０の接線接触点１３からわずかに離れてずらされている。各画像スキャン装置１６は、書類４の横方向において隣のカメラによって覆われる領域にわずかに重なった書類４の領域に焦点を合わせ、かつ覆うＣＣＤカメラである。図２に示されるようにガラス板７は、第１ローラー１０の接線接触点１３およびスキャン領域１２内にてコンベヤベルト３の平面の一部を単に覆っている。したがって、第２ローラー１１に対して回転し、その間にコンベヤベルト３および書類４があるさらなる支持ローラー１７が設けられる。述べられた相違点を別にすると、図２の実施形態は図１に一致している。
【００３７】
図３は、本発明による書類運搬装置２４を組み込んだスキャナ１の第３実施形態を示す。この実施形態は、第１および第２ローラー１０，１１より小さい直径を有し、コンベヤベルト３によって形成されたループの内側に配置されるいくつかのより小さい支持ローラー１８，１９，２０，２１によって１つの支持ローラー８が置換されているという点を別にすれば図２に一致している。第１および第２ローラー１０，１１の長さに沿ったいくつかの位置において、４つの支持ローラー１８，１９，２０，２１を支える支持構造２２が配置され、２つの支持ローラー１８，１９は、第１ローラー１０に対して回転し、かつ２つの支持ローラー２０，２１は、第２ローラー１１に対して回転する。４つの支持ローラー１８，１９，２０，２１は、第１および第２ローラー１０，１１の軸をそれぞれ結ぶ図示しないラインに対して対称的に配置される。
【００３８】
支持構造２２は、板形状、例えば図に示すような蝶形状の板とすることができ、第１および第２ローラー１０，１１に平行に延在する側面２３に各支持構造２２の中央穴を通じて取り付けることができる。支持ローラー１８，１９，２０，２１は、第１および第２ローラー１０，１１に対してバネ付勢されることができる、またはコンベヤベルト３のテンションを調整するために支持構造２２上に調整可能に配置されることができる。単純な実施形態において、支持ローラー１８，１９，２０，２１は、小さいボールベアリングの構造を有することができる。支持ローラー１８，１９，２０，２１が配置され、それによって第１および第２ローラー１０，１１の長さに沿ったいくつかの位置にて支持されることにより、支持ローラー１８，１９，２０，２１は第１および第２ローラー１０，１１より十分に小さい直径を有しているにもかかわらず第１および第２ローラー１０，１１のゆがみは、効果的に減少または最小化される。実施形態の支持ローラー１８，１９，２０，２１の数および位置は多様に変更しうるということを当業者は理解するだろう。例えば、図３の上部ローラーとして示される支持ローラー１９，２０を省略し、支持ローラー１８，２１のみを用いることができ、またはコンベヤベルト３の外側面５に回転することができるさらなるローラーを図３に示すものに追加することもできる。同様にローラー１０，１１の長手方向の長さにおける支持構造２２の数も変えることができる。単純な形において、本発明によるこの実施形態は、１つの支持構造２２を備え、かつローラー１０，１１は図示しない軸受けによって各端部が支持される。このように、各第１および第２ローラー１０，１１は、その長さに沿った３つの位置、すなわち１つの位置では４つの支持ローラー１８，１９，２０，２１によって、２つの位置では軸受けによって支持される。もちろん図３に示す実施形態のスキャン装置１６は、図１に示す実施形態スキャン装置１４，１５と置換することができる。
【００３９】
図４および図５は、本発明による書類運搬装置２５を組み込んだスキャナ１の第４実施形態を示す。この実施形態は、図２および図３に示すようなスキャン装置１６と同じタイプのスキャン装置を有して示されているが、スキャン装置１６は、図１に示す２つのスキャン装置によって置換することができる。この実施形態において、各第１および第２ローラー１０，１１は３つのローラーセグメント１０ａ，１０ｂ，１０ｃ，１１ａ，１１ｂ，１１ｃにそれぞれ分割されているが、任意の適した数に分割することができる。図５において、図の下部のローラーセグメント１０ｃ，１１ｃは、一部のみが示されている。第１および第２ローラー１０，１１の各ローラーセグメント１０ａ，１０ｂ，１０ｃ，１１ａ，１１ｂ，１１ｃはそれぞれ共通シャフト２６，２７に支持される。隣接するローラーセグメント間に配置された支持構造２８によって、共通シャフト２６，２７は隣接するローラーセグメントの間で支持される。さらに共通シャフト２６，２７は、それらの端部にて支持構造２９によって支持される。支持構造２８，２９は、例えばボールベアリングによって共通シャフト２６，２７を受ける板の形をとることができる。支持構造２８，２９は、第１および第２ローラー１０，１１に平行に延在する支持側面３０および支持構造２８，２９の貫通孔によって支えられることができる。
【００４０】
軸受けの軸合わせについての起こりうる課題を回避するために、軸受けを例えば玉継手などで取り付けることができ、またはローラーセグメント１０ａ，１０ｂ，１０ｃ，１１ａ，１１ｂ，１１ｃをわずかに角度が調整できるようにそれらの共通シャフト２６，２７に取り付けることができる。あるいは、各ローラーセグメントを独自のシャフトに取り付けることができる。
【００４１】
示されたすべての実施形態において、いくつかのロール、もしくは示されたいくつかのロールに対して回転する、またはコンベヤベルトに対して動く補助的なロールによってコンベヤベルトは駆動されることができる。示された実施形態においては、運搬装置２，２４，２５はスキャン装置１４，１５，１６の下に配置されているが、逆もまた可能である。
【００４２】
書類４の色および材料に関係なく運搬装置２，２４，２５における書類の位置を検出かつ調査するために、赤外線センサのような図示しないセンサをコンベヤベルトによって運ばれる書類の端を検出するためにコンベヤベルトの内側面に配置することができる。コンベヤベルトの長手方向に間隔の空いたいくつかの図示しない穴を通じて、または並んで配置された第１および第２コンベヤベルトの間に設けられた間隙を通じて、書類の端を発見することができる。これらの実施形態は図示していない。
【符号の説明】
【００４３】
１  スキャナ
２  書類運搬装置
３  コンベヤベルト
４  書類
５  外側面
６  平面
７  ガラス板
８  支持ローラー
９  内側面
１０  第１ローラー
１０ａ  ローラーセグメント
１０ｂ  ローラーセグメント
１０ｃ  ローラーセグメント
１１  第２ローラー
１１ａ  ローラーセグメント
１１ｂ  ローラーセグメント
１１ｃ  ローラーセグメント
１２  スキャン領域
１３  接線接触点
１４  画像スキャン装置
１５  画像スキャン装置
１６  画像スキャン装置
１７  支持ローラー
１８  支持ローラー
１９  支持ローラー
２０  支持ローラー
２１  支持ローラー
２２  支持構造
２３  側面
２４  書類運搬装置
２５  書類運搬装置
２６  共通シャフト
２７  共通シャフト
２８  支持構造
２９  支持構造
３０  支持側面
【図１】
0005215479.tif 000002
【図２】
0005215479.tif 000003
【図３】
0005215479.tif 000004
【図４】
0005215479.tif 000005
【図５】
0005215479.tif 000006